(57)【特許請求の範囲】
【請求項１】
記録媒体を通すことが可能な挿入口が一つ設けられた機器本体と、
前記記録媒体を機器本体に出し入れする搬送ユニットと、
前記機器本体に挿入された記録媒体の情報を読み出す再生ユニットと、を備えた記録媒体再生装置において、
前記挿入口と前記搬送ユニットとの間に設けられかつ前記搬送ユニットによって機器本体外に排出された記録媒体に前記挿入口の内縁と共に当接して、該内縁と協働して保持するとともに、前記内縁と協働して前記記録媒体を保持した状態で、他の記録媒体が前記搬送ユニットによって前記再生ユニットまで搬送されることを許容する保持部材を備えたことを特徴とする記録媒体再生装置。
【請求項２】
前記保持部材に設けられ、かつ前記挿入口を通して前記機器本体内に挿入される記録媒体と当接可能な位置に設けられているとともに、この挿入される記録媒体と当接して、該挿入される記録媒体を前記保持部材の一方側に案内する第１案内面と、
前記保持部材に設けられ、かつ前記搬送ユニットによって前記再生ユニットから機器本体外に排出される記録媒体と当接可能な位置に設けられているとともに、この排出される記録媒体と当接して、該排出される記録媒体を前記保持部材の他方側に案内する第２案内面と、
を備えたことを特徴とする請求項１記載の記録媒体再生装置。
【請求項３】
前記第１案内面は、前記挿入口から前記再生ユニットに向かうにしたがって徐々に前記一方側に傾斜していることを特徴とする請求項２記載の記録媒体再生装置。
【請求項４】
前記第２案内面は、前記再生ユニットから前記挿入口に向かうにしたがって徐々に前記他方側に傾斜していることを特徴とする請求項２記載の記録媒体再生装置。
【発明の詳細な説明】
【技術分野】
【０００１】
本発明は、例えば、自動車などに搭載されて、記録媒体の情報を再生する記録媒体再生装置に関する。
【背景技術】
【０００２】
例えば、ＣＤ（Compact Disk）などの記録媒体としての光ディスクに記録された情報を読み出して、再生する記録媒体再生装置としてのＣＤプレーヤは、記録媒体を出し入れ可能な挿入口が設けられた機器本体と、前記機器本体内に設けられかつ前記記録媒体の情報を読み出すことが可能な再生ユニットと、前記記録媒体を前記挿入口と前記再生ユニットとに亘って搬送して該記録媒体を機器本体に出し入れする搬送ユニットと、を備えている。【０００３】
前述した記録媒体再生装置は、再生する記録媒体を交換する際には、搬送ユニットで機器本体外に排出された記録媒体を取り出してから新たな記録媒体を機器本体に挿入してきた。このため、前述した記録媒体再生装置は、自動車などに搭載された際に、該自動車の乗員が排出された記録媒体を取り出して新たな記録媒体を機器本体に挿入する必要が生じていた。即ち、乗員が記録媒体を交換する必要があった。
【発明の開示】
【発明が解決しようとする課題】
【０００４】
前述したように、従来の記録媒体再生装置は、再生する記録媒体を交換する際に、該自動車の乗員が排出された記録媒体を取り出して新たな記録媒体を機器本体に挿入する必要が生じていた。即ち、乗員が記録媒体を交換する必要があった。このため、記録媒体の交換にかかる乗員などの手間を減少することが望まれてきた。【０００５】
本発明の目的は、例えば、記録媒体の交換にかかる乗員などの手間を減少することが可能な記録媒体再生装置を提供することにある。
【課題を解決するための手段】
【０００６】
前記課題を解決し目的を達成するために、請求項１に記載の本発明の記録媒体再生装置は、記録媒体を通すことが可能な挿入口が一つ設けられた機器本体と、前記記録媒体を機器本体に出し入れする搬送ユニットと、前記機器本体に挿入された記録媒体の情報を読み出す再生ユニットと、を備えた記録媒体再生装置において、前記挿入口と前記搬送ユニットとの間に設けられかつ前記搬送ユニットによって機器本体外に排出された記録媒体に前記挿入口の内縁と共に当接して、該内縁と協働して保持するとともに、前記内縁と協働して前記記録媒体を保持した状態で、他の記録媒体が前記搬送ユニットによって前記再生ユニットまで搬送されることを許容する保持部材を備えたことを特徴としている。
【図面の簡単な説明】
【０００７】
【図１】本発明の一実施例にかかる記録媒体再生装置としてのＣＤプレーヤの斜視図である。
【図２】図１に示された操作ユニットが挿排出位置に位置付けられた状態を示す斜視図である。
【図３】図２中のＩＩＩ−ＩＩＩに沿って一部を断面で示す説明図である。
【図４】図２中のＩＶ−ＩＶに沿って一部を断面で示す説明図である。
【図５】図３に示されたＣＤプレーヤ内に挿入されたＣＤが保持部材に当接した状態を一部断面で示す説明図である。
【図６】図５に示されたＣＤが搬送ユニットのディスクガイドとローラとの間に挟まれた状態を一部断面で示す説明図である。
【図７】図６に示されたＣＤが搬送ユニットにより機器本体内に搬送される状態を一部断面で示す説明図である。
【図８】図７に示されたＣＤが再生ユニットのクランプ部にクランプされた状態を一部断面で示す説明図である。
【図９】図８に示されたＣＤが搬送ユニットのディスクガイドとローラとの間に挟まれた状態を一部断面で示す説明図である。
【図１０】図９に示されたＣＤが保持部材の第２案内面に当接した状態を一部断面で示す説明図である。
【図１１】図１０に示されたＣＤが搬送ユニットにより機器本体外に排出される状態を一部断面で示す説明図である。
【図１２】図１１に示されたＣＤが保持部材などにより保持された状態を一部断面で示す説明図である。
【図１３】図１２に示されたＣＤを保持部材などで保持したまま新たなＣＤをＣＤプレーヤ内に挿入した状態を一部断面で示す説明図である。
【図１４】図１３に示された新たなＣＤが搬送ユニットのディスクガイドとローラとの間に挟まれた状態を一部断面で示す説明図である。
【図１５】図１４に示された新たなＣＤが搬送ユニットにより機器本体内に搬送される状態を一部断面で示す説明図である。
【図１６】図１５に示された新たなＣＤが再生ユニットのクランプ部にクランプされた状態を一部断面で示す説明図である。
【符号の説明】
【０００８】
１  ＣＤプレーヤ（記録媒体再生装置）
２，２ａ  ＣＤ（記録媒体）
３  機器本体
５  搬送ユニット
６  再生ユニット
７  保持部材
１０  挿入口
２５  第１案内面
２６  第２案内面
【発明を実施するための最良の形態】
【０００９】
以下、本発明の一実施形態にかかる記録媒体再生装置を説明する。本発明の一実施形態にかかる記録媒体再生装置は、保持部材が機器本体から排出された記録媒体を挿入口の内縁と協働で保持し、新たな記録媒体が機器本体内に挿入されることを許容している。こうすることで、前述した記録媒体再生装置は、機器本体から排出された記録媒体を一時的に機器本体に保持したまま新たな記録媒体の挿入を可能とすることで、記録媒体の交換の頻度を減少させて、記録媒体の交換にかかる乗員などの手間を減少することを可能としている。【００１０】
また、保持部材に機器本体に挿入される記録媒体を該保持部材の一方側に案内する第１案内面と、機器本体から排出される記録媒体を該保持部材の他方側に案内する第２案内面とを設けても良い。この場合、機器本体に挿入される記録媒体の搬送経路と、機器本体から排出される記録媒体の搬送経路とに分割することができるので、排出した記録媒体を一時的に機器本体に保持したまま新たな記録媒体を確実に機器本体に挿入することができる。【００１１】
さらに、第１案内面が、機器本体の奥に向かうにしたがって徐々に一方側に傾斜しても良く、第２案内面が、機器本体の外に向かうにしたがって徐々に他方側に傾斜しても良い。この場合、第１案内面が、機器本体の奥に向かうにしたがって徐々に上方側に傾斜しているので、確実に機器本体内に挿入される記録媒体を保持部材の上方側に位置付けることができる。また、第２案内面が、機器本体の外に向かうにしたがって徐々に下方側に傾斜しているので、確実に機器本体から排出される記録媒体を保持部材の下方側に位置付けることができる。
【実施例】
【００１２】
以下、本発明の一実施例にかかる記録媒体再生装置の一例としてのＣＤプレーヤ１を、図１ないし図１６に基づいて説明する。図１などに示すＣＤプレーヤ１は、移動体としての自動車のインストルメントパネル（以下、インパネと呼ぶ）などに取り付けられて、記録媒体としてのＣＤ２（図５及び図６などに示す）を一枚収容して、このＣＤ２に記録された情報を読み出（再生）して、音声として出力する装置である。ＣＤ２は、勿論、円板状即ちディスク状に形成されており、コンピュータなどの電子機器で読みとることのできる情報を記録した記録媒体である。【００１３】
ＣＤプレーヤ１は、図１及び図２に示すように、機器本体３（図１に示す）と、操作ユニット４と、搬送ユニット５（図３に示す）と、再生ユニット６（図３に示す）と、連動機構と、保持部材７とを備えている。なお、以下、図１中の矢印ＸをＣＤプレーヤ１の幅方向と記し、矢印ＹをＣＤプレーヤ１の奥行き方向と記し、矢印ＺをＣＤプレーヤ１の厚み方向と記す。【００１４】
機器本体３は、合成樹脂からなる図１に示す外側ケース８と、板金などからなる図３などに示す固定シャーシ９とを備えている。【００１５】
外側ケース８は、扁平な箱状に形成されている。外側ケース８の前述したインパネに取り付けると乗員に相対する前面８ａ（図２に示す）には、ＣＤ２を出し入れ可能な挿入口１０が一つ設けられている。挿入口１０は、外側ケース８の外壁を貫通している。挿入口１０は、内側にＣＤ２を通すことができる。挿入口１０を通して、前記ＣＤ２は、外側ケース８即ち機器本体３内に収容されたり、該機器本体３内から排出される。即ち、挿入口１０は、ＣＤ２を機器本体３に出し入れ自在とする。【００１６】
固定シャーシ９は、外側ケース８内に収容されているとともに、該外側ケース８に固定されている。【００１７】
操作ユニット４は、図１に示すように、扁平な箱状のハウジング１１と、該ハウジング１１内に収容される表示パネルとしての液晶ディスプレイ（以下ＬＣＤと呼ぶ）１２と、各種のスイッチ１３と、を備えている。ハウジング１１は、長さと幅がそれぞれ機器本体３の幅と厚みとほぼ等しい扁平な箱状に形成されている。【００１８】
ＬＣＤ１２は、使用者に対し各種の情報を表示する表示領域としての表示面を備えている。各種のスイッチ１３は、使用者が操作するための操作部を構成している。この表示面と操作部とが前記ハウジング１１の図１中手前側に位置する一つの面１１ａに設けられている。なお、この一つの面１１ａは、露出面をなしており、以下露出面と呼ぶ。【００１９】
操作ユニット４に設けられたスイッチ１３が使用者などに操作されることによって、例えば、再生ユニット６が再生するＣＤ２のプログラムの選択やＣＤ２の出し入れなどが行われる。そして、操作ユニット４のＬＣＤ１２に、再生中のプログラム名等の情報を表示させる。【００２０】
操作ユニット４は、前記機器本体３の前面８ａの前方（機器本体３からみて）に位置付けられる。そして、操作ユニット４は、露出面１１ａが前記機器本体３の前面８ａの前方に露出される。【００２１】
操作ユニット４は、前述した幅方向Ｘと平行でかつその下端部を通る軸芯Ｐを中心として回転自在に設けられている。操作ユニット４は、機器本体３内に収容された駆動機構により、前述した軸芯Ｐ周りに回転される。操作ユニット４は、軸芯Ｐ周りに回転することで、前述した挿入口１０を覆いかつ前述した露出面１１ａを露出させる図１に示す操作位置と、前述した挿入口１０を開放しかつ前述した露出面１１ａを下方に相対させる図２に示す挿排出位置とに亘って変位する。【００２２】
また、前述した駆動機構には、保持部材７に後述するようにＣＤ２が保持されているか否かを検出可能なセンサが設けられている。【００２３】
搬送ユニット５は、機器本体３内に収容されており、図３などに示すように、ユニット本体１４と、ローラアーム１５と、ディスクガイド１６と、を備えている。ユニット本体１４は、ゴムやダンパなどにより機器本体３に対し前述した幅方向Ｘと厚み方向Ｚと奥行き方向Ｙとに沿って移動自在に支持されている。【００２４】
ローラアーム１５は、前記挿入口１０の近傍に配されている。ローラアーム１５は、板金などからなるアーム本体１７と、ローラ１８と、を備えている。【００２５】
アーム本体１７は、機器本体３の幅方向Ｘの両端に設けられている。アーム本体１７は、一端を中心として回転自在にユニット本体１４に支持されている。アーム本体１７は、ローラ１８がディスクガイド１６に近づく方向に、図示しないばねなどにより付勢されている。【００２６】
ローラ１８は、アーム本体１７の他端に回転自在に支持されている。ローラ１８の長手方向即ち回転中心は、機器本体３の幅方向Ｘに沿っている。ローラ１８は、図示しない駆動源としてモータなどにより回転される。【００２７】
ディスクガイド１６は、長手方向が機器本体３の幅方向Ｘに沿った帯状に形成されている。ディスクガイド１６は、薄い板状に形成されている。【００２８】
搬送ユニット５は、ディスクガイド１６とローラ１８との間にＣＤ２を挟んで、挿入口１０内にＣＤ２を通して、該ＣＤ２を機器本体３に出し入れする。【００２９】
再生ユニット６は、機器本体３内に収容されており、クランプ部１９と、ピックアップ部と、を備えている。【００３０】
クランプ部１９は、図３に示すように、ターンテーブル２０と、クランプアーム２１と、を備えている。ターンテーブル２０は、固定シャーシ９に回転自在に設けられている。ターンテーブル２０は、スピンドルモータ２２などにより回転される。クランプアーム２１は、板状に形成されているとともに、挿入口１０から離れた側の一端部を中心として回転自在に設けられている。【００３１】
クランプアーム２１は、一端部を中心として回転することで、他端部がターンテーブル２０に接離する。クランプ部１９は、挿入口１０を通して機器本体３内に挿入されたＣＤ２をターンテーブル２０上に位置付け、クランプアーム２１の他端部がターンテーブル２０に近づいて、該ＣＤ２をターンテーブル２０とクランプアーム２１との間に挟んで、クランプする。【００３２】
ピックアップ部は、再生手段としての光ピックアップと、ピックアップ移動部とを備えている。光ピックアップは、クランプ部１９にクランプされたＣＤ２から情報を読み出す。ピックアップ移動部は、クランプ部１９にクランプされたＣＤ２の径方向に沿って、光ピックアップを移動する。【００３３】
ピックアップ部は、光ピックアップをＣＤ２の径方向に移動して、クランプ部１９にクランプされたＣＤ２の任意の位置から情報を読み出す。【００３４】
再生ユニット６は、クランプ部１９がＣＤ２をクランプして、ピックアップ部がＣＤ２から情報を読み出す。【００３５】
連動機構は、クランプ部１９のクランプアーム２１の他端部がターンテーブル２０に近づくと（即ちクランプ部１９でＣＤ２をクランプすると）同時に、搬送ユニット５のローラ１８とディスクガイド１６とが離れるように、クランプ部１９と搬送ユニット５の動作を連動させる。また、連動機構は、クランプ部１９のクランプアーム２１の他端部がターンテーブル２０から離れると（即ちクランプ部のＣＤ２のクランプを解除すると）同時に、搬送ユニット５のローラ１８とディスクガイド１６とが近づくように、クランプ部１９と搬送ユニット５の動作を連動させる。このように、連動機構は、クランプ部１９のクランプ動作と搬送ユニット５の動作を連動させて、クランプ部１９と搬送ユニット５とのうち一方がＣＤ２を保持するように、これらのクランプ部１９と搬送ユニット５の動作を連動させる。【００３６】
保持部材７は、機器本体３に収容されている。保持部材７は、図３及び図４に示すように、保持アーム２３と、保持部２４と、を備えている。保持アーム２３は、機器本体３の幅方向Ｘの両端に設けられている。保持アーム２３は、機器本体３の内面から搬送ユニット５に向かって延在している。【００３７】
保持部２４は、棒状に形成され、その長手方向が幅方向Ｘと平行に配されている。保持部２４は、挿入口１０の全長に亘って設けられている。さらに、保持部２４即ち保持部材７は、前述した挿入口１０と搬送ユニット５との間（即ち挿入口１０と再生ユニット６との間）に設けられている。保持部２４は、厚み方向Ｚの厚みが前述した挿入口１０の厚み方向の厚みより十分に小さく形成されている。また、保持部２４は、挿入口１０の厚み方向の中央と、前述した奥行き方向Ｙに沿って並設される位置に設けられている。【００３８】
保持部２４の厚みが挿入口１０の厚みより薄く、保持部２４が挿入口１０の厚み方向Ｚの中央と奥行き方向Ｙに沿って並設されているので、保持部材７は、保持部２４の下方側に位置付けられたＣＤ２が挿入口１０の内縁のうちの下縁に接触することで、該挿入口１０の内縁のうちの下縁と共に当接して、内縁のうちの下縁と協働して該ＣＤ２を保持する。このように、保持部材７は、搬送ユニット５によって機器本体３外に排出されたＣＤ２を保持する。【００３９】
また、保持部材７は、保持部２４の下方側（特許請求の範囲に記載された他方側に相当する）にＣＤ２を保持するので、挿入口１０を通して機器本体３内に挿入されたＣＤ２が保持部２４の上方側（特許請求の範囲に記載された一方側に相当する）を通って、再生ユニット６まで搬送されることを許容する。【００４０】
保持部２４には、その断面において、第１案内面２５と、第２案内面２６とが設けられている。第１案内面２５は、保持部２４の挿入口１０寄りの縁部にその全長即ち幅方向Ｘの全長に亘って設けられている。第１案内面２５は、挿入口１０から再生ユニット６に向かうにしたがって、徐々に上方側即ち特許請求の範囲に記載された一方側に傾斜している。【００４１】
第１案内面２５は、前述した一方側（上方側）から挿入口１０を通して機器本体３内に挿入されるＣＤ２と当接可能な位置に設けられている。さらに、第１案内面２５は、機器本体３に挿入されたＣＤ２を搬送ユニット５のディスクガイド１６とローラ１８との間に案内可能な位置に設けられている。前述した構成の第１案内面２５は、機器本体３内に挿入されるＣＤ２と当接して、該ＣＤ２を保持部２４即ち保持部材７の上方側に案内する。【００４２】
第２案内面２６は、保持部２４の挿入口１０から離れた側の縁部にその全長即ち幅方向Ｘの全長に亘って設けられている。第２案内面２６は、再生ユニット６から挿入口１０に向かうにしたがって、徐々に下方側即ち特許請求の範囲に記載された他方側に傾斜している。【００４３】
第２案内面２６は、前述した搬送ユニット５のユニット本体１４が中立位置に位置し、ディスクガイド１６とローラ１８との間に挟まれたＣＤ２と、奥行き方向Ｙに沿って並設される位置に設けられている。すなわち、第２案内面２６は、搬送ユニット５により機器本体３外に排出されるＣＤ２と当接可能な位置に設けられている。前述した構成の第２案内面２６は、機器本体３外に排出されるＣＤ２と当接して、該ＣＤ２を保持部２４即ち保持部材７の下方側に案内する。【００４４】
前述した構成のＣＤプレーヤ１は、以下のように、ＣＤ２を機器本体３内に収容して、該ＣＤ２の情報を読み出すとともに、機器本体３外に排出されたＣＤ２を保持部材７に保持する。まず、ＣＤプレーヤ１は、ＣＤ２を機器本体３に収容する前では、図１に示すように、操作ユニット４が操作位置に位置付けられているとともに、図３に示すように、搬送ユニット５のディスクガイド１６とローラ１８とが互いに近づき、再生ユニット６のクランプアーム２１とターンテーブル２０とが互いに離れている。【００４５】
そして、ＣＤ２を機器本体３に挿入するためのスイッチ１３などが操作されると、まず、図２ないし図４に示すように、駆動機構が動作して操作ユニット４を回転して、該操作ユニット４を挿排出位置に位置付ける。こうして、まず、機器本体３に設けられた挿入口１０を開放する。【００４６】
そして、ＣＤ２が挿入口１０内に挿入される。すると、図５に示すように、ＣＤ２が第１案内面２５に当接する。そして、第１案内面２５により機器本体３内に挿入されたＣＤ２が、保持部材７の保持部２４の上方側に案内されて（位置付けられて）、図６に示すように、搬送ユニット５のディスクガイド１６とローラ１８との間に挟まれる。【００４７】
すると、ローラ１８が、ＣＤ２を機器本体３内に収容する方向に回転して、搬送ユニット５が、前述したＣＤ２を機器本体３内に徐々に収容する。このとき、搬送ユニット５のユニット本体１４が、ＣＤ２の移動に応じて、適宜、幅方向Ｘ、厚み方向Ｚ、奥行き方向Ｙに移動する。【００４８】
そして、機器本体３内に挿入されたＣＤ２が、図７に示すように、ターンテーブル２０とクランプアーム２１との間に位置付けられる。ＣＤ２が所定の位置に位置付けられると、連動機構が、クランプアーム２１をターンテーブル２０に近づけさせると同時に搬送ユニット５のディスクガイド１６からローラ１８を離させる。【００４９】
そして、図８に示すように、再生ユニット６のクランプ部１９がＣＤ２をクランプして、ピックアップ部が該ＣＤ２から情報を読み出す。ＣＤ２からの情報の読み出しを開始すると、駆動機構が下端部を中心として操作ユニット４を回転して、該操作ユニット４を操作位置に位置付ける。ＣＤ２の再生中には、操作ユニット４により各種の操作が行われる。【００５０】
そして、情報を読み出すＣＤ２を交換する際（即ち、機器本体３内のＣＤ２を機器本体３外に排出し、新たなＣＤ２（図１３などに示し、以下符号２ａで示す）を機器本体３内に挿入する際には、まず、ＣＤ２を機器本体３外に排出するためのスイッチ１３などが操作されると、駆動機構が下端部を中心として操作ユニット４を回転して、該操作ユニット４を挿排出位置に位置付ける。そして、連動機構が、図９に示すように、クランプアーム２１をターンテーブル２０から離させると同時に搬送ユニット５のディスクガイド１６にローラ１８を近づける。【００５１】
そして、搬送ユニット５のローラ１８が機器本体３外にＣＤ２を排出する方向に回転する。すると、図１０に示すように、機器本体３外に排出されるＣＤ２が第２案内面２６に当接する。そして、第２案内面２６により機器本体３外に排出されるＣＤ２が、保持部材７の保持部２４の下方側に案内されて（位置付けられて）、図１１に示すように、挿入口１０を通して機器本体３外に徐々に排出される。【００５２】
そして、機器本体３外に排出されたＣＤ２は、挿入口１０の内縁のうちの下縁と保持部２４の下面との双方に当接して、図１２に示すように、保持部材７の保持部２４などにより挿入口１０内で保持される。このとき、前述したセンサが、保持部材７にＣＤ２が保持されていることを検出して、操作ユニット４を挿排出位置に保つ。【００５３】
この状態で新たなＣＤ２ａを機器本体３内に挿入すると、図１３ないし図１５に示すように、保持部材７でＣＤ２を保持したまま該ＣＤ２ａが第１案内面２５により保持部材７の保持部２４の上方に案内されて、搬送ユニット５により機器本体３内に収容される。そして、図１６に示すように、再生ユニット６のクランプ部１９がＣＤ２ａをクランプして、ピックアップ部でＣＤ２ａの情報を読み出す。なお、この状態で、挿入口１０内で保持部材７などに保持されたＣＤ２が除去されると、前述したセンサが保持部材７がＣＤ２を保持していないことを検出して、駆動機構が操作ユニット４を操作位置に位置付ける。【００５４】
本実施例によれば、保持部材７が機器本体３から排出されたＣＤ２を挿入口１０の内縁と協働で保持し、新たなＣＤ２ａが機器本体３内に挿入されることを許容する。このため、機器本体３から排出されたＣＤ２を一時的に機器本体３に保持したまま新たなＣＤ２ａの挿入を可能とする。したがって、ＣＤ２の交換の頻度を減少させることができ、ＣＤ２の交換にかかる乗員などの手間を減少することができる。【００５５】
第１案内面２５が機器本体３に挿入されるＣＤ２を保持部材７の保持部２４の上方側に案内し、第２案内面２６が機器本体３から排出されるＣＤ２を保持部材７の保持部２４の下方側に案内する。このように、機器本体３に挿入されるＣＤ２の搬送経路と、機器本体３から排出されるＣＤ２の搬送経路とに分割することができる。したがって、排出したＣＤ２を一時的に機器本体３に保持したまま新たなＣＤ２ａを確実に機器本体３に挿入することができる。【００５６】
第１案内面２５が、機器本体３の奥に向かうにしたがって徐々に上方側に傾斜しているので、確実に機器本体３内に挿入されるＣＤ２を保持部材７の保持部２４の上方側に位置付けることができる。【００５７】
第２案内面２６が、機器本体３の外に向かうにしたがって徐々に下方側に傾斜しているので、確実に機器本体３から排出されるＣＤ２を保持部材７の保持部２４の下方側に位置付けることができる。【００５８】
前述した実施例では、記録媒体としてのＣＤ２を収容するＣＤプレーヤ１を示している。しかしながら、本発明では、例えば、記録媒体としてのＭＤ（Mini Disc）を収容する
ＭＤプレーヤや、例えば、ＤＶＤ（Digital Versatile Disc）などの他の記録媒体を収容するＤＶＤプレーヤなどの記録媒体再生装置に適用しても良い。【００５９】
前述した実施例では、機器本体３に挿入するＣＤ２を保持部材７の保持部２４の上方側に通し、機器本体３外に排出するＣＤ２を保持部材７の保持部２４の下方側に通している。しかしながら、本発明では、機器本体３に挿入するＣＤ２を保持部材７の保持部２４の下方側に通し、機器本体３外に排出するＣＤ２を保持部材７の保持部２４の上方側に通しても良い。【００６０】
前述した実施例によれば、以下のＣＤプレーヤ１が得られる。【００６１】
（付記１）  ＣＤ２を通すことが可能な挿入口１０が一つ設けられた機器本体３と、
前記ＣＤ２を機器本体３に出し入れする搬送ユニット５と、
前記機器本体３に挿入されたＣＤ２の情報を読み出す再生ユニット６と、を備えたＣＤプレーヤ１において、
前記挿入口１０と前記搬送ユニット５との間に設けられかつ前記搬送ユニット５によって機器本体３外に排出されたＣＤ２に前記挿入口１０の内縁と共に当接して、該内縁と協働して保持するとともに、前記内縁と協働して前記ＣＤ２を保持した状態で、他のＣＤ２ａが前記搬送ユニット５によって前記再生ユニット６まで搬送されることを許容する保持部材７を備えたことを特徴とするＣＤプレーヤ１。【００６２】
（付記２）  前記保持部材７に設けられ、かつ前記挿入口１０を通して前記機器本体３内に挿入されるＣＤ２と当接可能な位置に設けられているとともに、この挿入されるＣＤ２と当接して、該挿入されるＣＤ２を前記保持部材７の一方側に案内する第１案内面２５と、
前記保持部材７に設けられ、かつ前記搬送ユニット５によって前記再生ユニット６から機器本体３外に排出されるＣＤ２と当接可能な位置に設けられているとともに、この排出されるＣＤ２と当接して、該排出されるＣＤ２を前記保持部材７の他方側に案内する第２案内面２６と、
を備えたことを特徴とする付記１記載のＣＤプレーヤ１。【００６３】
（付記３）  前記第１案内面２５は、前記挿入口１０から前記再生ユニット６に向かうにしたがって徐々に前記一方側に傾斜していることを特徴とする付記２記載のＣＤプレーヤ１。【００６４】
（付記４）  前記第２案内面２６は、前記再生ユニット６から前記挿入口１０に向かうにしたがって徐々に前記他方側に傾斜していることを特徴とする付記２記載のＣＤプレーヤ１。【００６５】
付記１によれば、保持部材７が機器本体３から排出されたＣＤ２を挿入口１０の内縁と協働で保持し、新たなＣＤ２ａが機器本体３内に挿入されることを許容する。このため、機器本体３から排出されたＣＤ２を一時的に機器本体３に保持したまま新たなＣＤ２ａの挿入を可能とする。したがって、ＣＤ２の交換の頻度を減少させることができ、ＣＤ２の交換にかかる乗員などの手間を減少することができる。【００６６】
なお、前述した実施例は本発明の代表的な形態を示したに過ぎず、本発明は、実施例に限定されるものではない。即ち、本発明の骨子を逸脱しない範囲で種々変形して実施することができる。
【図１】
0004299356.tif 000002
【図２】
0004299356.tif 000003
【図３】
0004299356.tif 000004
【図４】
0004299356.tif 000005
【図５】
0004299356.tif 000006
【図６】
0004299356.tif 000007
【図７】
0004299356.tif 000008
【図８】
0004299356.tif 000009
【図９】
0004299356.tif 000010
【図１０】
0004299356.tif 000011
【図１１】
0004299356.tif 000012
【図１２】
0004299356.tif 000013
【図１３】
0004299356.tif 000014
【図１４】
0004299356.tif 000015
【図１５】
0004299356.tif 000016
【図１６】
0004299356.tif 000017